(57)【要約】【課題】特に小型機器に搭載される有機ＥＬパネルを用いた表示装置において、防曇性に優れた表示装置を提供する。【解決手段】支持基板上に第一電極と少なくとも発光層を有する有機層と第二電極とを積層形成してなる有機ＥＬパネル１０と、有機ＥＬパネル１０を収納し、有機ＥＬパネル１０からの発光表示像Ｌを透過する表示部２２ａを有するケース体２０と、有機ＥＬパネル１０と表示部２２ａとの間に配設される光透過性のゲル状部材３０と、を備えてなることを特徴とする。また、ゲル状部材３０は、紫外線吸収機能を有する添加剤を含有してなることを特徴とする。【選択図】  図１
2010096968.tif 000002
【特許請求の範囲】
【請求項１】
支持基板上に第一電極と少なくとも発光層を有する有機層と第二電極とを積層形成してなる有機ＥＬパネルと、
前記有機ＥＬパネルを収納し、前記有機ＥＬパネルからの発光表示像を透過する表示部を有するケース体と、
前記有機ＥＬパネルと前記表示部との間に配設される光透過性のゲル状部材と、
を備えてなることを特徴とする表示装置。
【請求項２】
前記ゲル状部材は、紫外線吸収機能を有する添加剤を含有してなることを特徴とする請求項１に記載の表示装置。
【請求項３】
前記有機ＥＬパネルと前記表示部とで前記ゲル状部材を押し広げてなることを特徴とする請求項１に記載の表示装置。
【請求項４】
前記ケース体は前記ゲル状部材を充填する充填部を有し、前記有機ＥＬパネルは前記充填部に設けられる開口部を塞ぐように配設されることを特徴とする請求項１に記載の表示装置。
【発明の詳細な説明】
【技術分野】
【０００１】
本発明は、支持基板上に第一電極と少なくとも発光層を有する有機層と第二電極とを積層形成してなる有機ＥＬ（エレクトロルミネッセンス）パネルを備える表示装置に関し、特に防曇性に優れた表示装置に関する。
【背景技術】
【０００２】
近年、有機ＥＬ素子を用いた有機ＥＬパネルを備える表示装置が知られており、有機ＥＬ素子を用いた有機ＥＬパネルとしては、ガラス材料からなる透光性の支持基板上に、陽極となるＩＴＯ（Ｉｎｄｉｕｍ  Ｔｉｎ  Ｏｘｉｄｅ）等からなる透明電極（第一電極）と、少なくとも発光層を有する有機層と、陰極となるアルミニウム（Ａｌ）等からなる非透光性の背面電極（第二電極）と、を順次積層して有機ＥＬ素子を形成するものが知られている（例えば、特許文献１参照）。
【０００３】
かかる有機ＥＬパネルを備える表示装置は、前記有機ＥＬパネルをケース体に収納してなるものであり、前記ケース体に形成される光透過性の表示部を介して前記有機ＥＬパネルからの発光表示像が視認される。かかる表示装置は、有機ＥＬパネルの適用によって小型化及び薄型化が可能であり、車両用表示装置や携帯電話のほか自動車や船舶等の移動体のドアの施錠及び解錠を無線通信によって操作する電子キー等の小型電子機器への搭載が検討されている。
【特許文献１】特開昭５９−１９４３９３号公報
【特許文献２】特開平８−２１９８１７号公報
【発明の開示】
【発明が解決しようとする課題】
【０００４】
電子キー等の小型機器は屋外や自動車内など様々な環境下へ持ち出されるものであるため、前記ケース体の外部と内部とで温度差が生じやすいことが考えられる。そのため、主に前記表示部の内面側（有機ＥＬパネルとの対向面側）に水分が付着し、前記表示部に曇りが発生するおそれがある。これに対し、透明カバーの曇りを防止する方法としては、特許文献２に計器のケースの内部（内気）と外部（外気）を連通する通気部（通気孔）を設け、この通気部を通気性を有する防水膜で覆う方法が開示されている。しかしながら、小型機器に通気部及び防水膜を設けることは機器の小型化を妨げるものであり、曇りを防止する方法としては更なる改善が必要であった。
【０００５】
本発明は、このような問題に鑑み、特に小型機器に搭載される有機ＥＬパネルを用いた表示装置において、防曇性に優れた表示装置を提供することを目的とする。
【課題を解決するための手段】
【０００６】
本発明は、前記課題を解決するために、支持基板上に第一電極と少なくとも発光層を有する有機層と第二電極とを積層形成してなる有機ＥＬパネルと、前記有機ＥＬパネルを収納し、前記有機ＥＬパネルからの発光表示像を透過する表示部を有するケース体と、前記有機ＥＬパネルと前記表示部との間に配設される光透過性のゲル状部材と、を備えてなることを特徴とする。
【０００７】
また、前記ゲル状部材は、紫外線吸収機能を有する添加剤を含有してなることを特徴とする。
【０００８】
また、前記有機ＥＬパネルと前記表示部とで前記ゲル状部材を押し広げてなることを特徴とする。
【０００９】
また、前記ケース体は前記ゲル状部材を充填する充填部を有し、前記有機ＥＬパネルは前記充填部に設けられる開口部を塞ぐように配設されることを特徴とする。
【発明の効果】
【００１０】
本発明は、支持基板上に第一電極と少なくとも発光層を有する有機層と第二電極とを積層形成してなる有機ＥＬパネルを備える表示装置に関し、防曇性に優れた表示装置を提供することが可能とするものである。
【発明を実施するための最良の形態】
【００１１】
以下、本発明の第一の実施形態を添付の図面に基いて説明する。
【００１２】
図１に示すように、表示装置は、有機ＥＬパネル１０と、ケース体２０と、ゲル状部材
３０と、ＦＰＣ（可撓性配線板）４０と、回路基板５０と、から主に構成される。
【００１３】
有機ＥＬパネル１０は、図２及び図３に示すように、支持基板１１と、支持基板１１上に配設される封止部材１２と、支持基板１１上に形成され封止部材１２によって気密的に覆われる積層体１３と、を備えるものである。なお、図２においては封止部材１２を省略している。
【００１４】
支持基板１１は、長方形形状からなる透光性のガラス基板である。
【００１５】
封止部材１２は、例えば平板ガラスをエッチングあるいは切削等の手段によって加工し、凹形状とするものである。封止部材１２は、例えば紫外線硬化型の接着剤１２ａを介して支持基板１１上に気密的に配設することで、封止部材１２と支持基板１１とで積層体１３を収納する気密空間を構成する。
【００１６】
積層体１３は、透明電極（第一電極）１４，絶縁層１５，隔壁部１６，有機層１７及び背面電極（第二電極）１８を順次積層形成してなるものである。
【００１７】
透明電極１４は、例えばＩＴＯ等の透光性の導電材料からなるものであり、スパッタリング或いは蒸着等の手段によって形成されている。各透明電極１４は、ライン状に形成され、図２における縦方向のストライプ状に設けられる。
【００１８】
絶縁層１５は、ポリイミド系の絶縁材料からなるものであり、フォトリソグラフィー法等の手段によって形成されている。絶縁層１５は、有機層１７よりも広い領域に形成されており、マトリクス状に配置された発光部に対応する矩形の開口１５ａを有している。
【００１９】
隔壁部１６は、フェノール系の絶縁材料からなるものであり、フォトリソグラフィー法等の手段によって形成されている。隔壁部１６は、絶縁層１５上に形成されており、逆テーパ形状になっている。隔壁部１６は、透明電極１４と直交する方向に複数のライン状に設けられており、有機層１７及び背面電極１８をストライプ状に分断する。
【００２０】
有機層１７は、少なくとも発光層を有するものであり、例えば、正孔注入輸送層，発光層，電子輸送層及び電子注入層からなるものである。
【００２１】
背面電極１８は、例えばアルミニウム（Ａｌ）等の低抵抗の金属導電材料からなるものであり、隔壁部１６によって複数のラインに分離され、透明電極１４に直交するストライプ状に設けられている。透明電極１４と背面電極１８とが交差し、有機層１７を挟持する個所が各発光画素（有機ＥＬ素子）となる。
【００２２】
ケース体２０は、有機ＥＬパネル１０を収納する下ケース２１と、下ケース２１の開口を覆う上ケース２２と、からなるものである。
【００２３】
下ケース２１は、例えばＡＢＳ（アクリルニトリルブタヂエンスチレン）等の黒色の樹脂材料からなるものであり、凹形状に形成され内部に有機ＥＬパネル１０を収納する。なお、下ケース２１には、有機ＥＬパネル１０を固定するパネルホルダー部が設けられるが、図面を簡略化するために省略している。
【００２４】
上ケース２２は、例えばＡＢＳ等の黒色の樹脂材料からなるものであり、下ケース２１の開口を覆う蓋体となるように配設される。また、上ケース２２には、例えばポリカーボネート等の透光性樹脂からなり、有機ＥＬパネル１０と対向し有機ＥＬパネルからの発光表示像Ｌを透過する表示部２２ａが設けられている。なお、表示部２２ａは有機ＥＬパネル１０からの光を透過するものであればよく、ハーフミラーであっても良い。
【００２５】
ゲル状部材３０は、光透過性を有し、例えば主剤となるシリコーンゲルに紫外線吸収機能を有する添加剤を加えてなるものであり、有機ＥＬパネル１０と上ケース２２の表示部２２ａとの間に配設されるものである。前記添加剤としては、例えばベンゾトリアゾール系，ベンゾフェノン系，サリシレート系，シアノアクリスレート系，ニッケル系あるいはトリアゾン系等が上げられる。また、ゲル状部材３０はシリコーン接着剤のように接着性を有するものであることが望ましい。シリコーン接着剤は硬化してシリコーンゴムとなる際に被接着体の表面に染み込んだり、被接着体の表面と反応して接着性が現れるといった性質を持つ。
【００２６】
ＦＰＣ４０は、例えばポリイミド等の柔軟性を有する絶縁材料に所定の回路配線（図示しない）が形成され、有機ＥＬパネル１０と回路基板５０とを電気的に接続するための接続部材である。ＦＰＣ４０の前記回路配線の末端部分には、例えば銅箔上に銀や金等の導電材料を積層してなり有機ＥＬパネル１０の各リード端子と電気的に接合する接続端子（図示しない）が複数設けられている。また、ＦＰＣ４０は、有機ＥＬパネル１０及び回路基板５と異方性導電膜を介して電気的に接合される。
【００２７】
回路基板５０は、有機ＥＬパネル１０を駆動するための駆動回路が搭載されるものであり、有機ＥＬパネル１０を発光駆動させるドライバＩＣ５１等の電子部品を備え、ＦＰＣ４０を介して有機ＥＬパネル１０と電気的に接続される。
【００２８】
本実施形態においては、ゲル状部材３０を以下の方法で配設する。まず、有機ＥＬパネル１０の支持基板１１の表示面側（積層体１３の非形成面側）にゲル状部材３０を滴下する。次に、支持基板１１上に表示部２２ａを有する上ケース２２を配置し、その自重でゲル状部材３０を有機ＥＬパネル１０と表示部２２ａ間に隙間なく押し広げる。その際、気泡等を含まないように注意が必要である。そして、ゲル状部材３０を介して有機ＥＬパネル１０と表示部２２ａとが接着されたことを確認し、有機ＥＬパネル１０を下ケース内に収納するとともに上ケース２２を下ケース２１に嵌め込む。なお、ゲル状部材３０を表示部２２ａに滴下し、その後有機ＥＬパネル１０を配置する方法であってもよい。
【００２９】
かかる表示装置は、有機ＥＬパネル１０と有機ＥＬパネル１０からの発光表示像Ｌを透過する表示部２２ａとの間にゲル状部材３０を充填することによって、表示部２２ａの内側面に水分が付着することを防止して表示装置の防曇性を向上させることが可能となり、様々な環境下で利用されることが想定される小型機器に表示装置を搭載することができる。
【００３０】
また、ゲル状部材３０に紫外線吸収機能を有する添加剤を含有することによって、屋外で使用される場合であっても外光に含まれる紫外線が有機ＥＬパネル１０に入射して前記発光画素が劣化することを抑制することができ、表示装置を長寿命化することが可能となる。
【００３１】
次に、図４を用いて本発明の第二の実施形態について説明する。なお、前述の第一の実施形態と同一あるいは相当個所には同一符号を付してその詳細な説明は省略する。
【００３２】
第二の実施形態である表示装置が前述の第一の実施形態と異なる点は、ゲル状部材３０の配設方法である。
【００３３】
上ケース２２は、ゲル状部材３０を充填する充填部２２ｂが設けられている。充填部２２ｂはゲル状部材３０を囲む壁部からなり、有機ＥＬパネル１０との対向方向に表示部２２ａに対応する開口部が設けられている。本第二の実施形態におけるゲル状部材３０の配設方法としては、まず減圧下にて充填部２２ｂにゲル状部材３０を充填する。そして、充填部２２ｂの前記開口部を塞ぐように上ケース２２に有機ＥＬパネル１０を配設する。そしてゲル状部材３０を介して上ケース２２と有機ＥＬパネル１０とが接着されたことを確認した後、有機ＥＬパネル１０を下ケース２１内に収納するとともに上ケース２２を下ケース２１に嵌め合わせ、大気圧に戻す。
【００３４】
かかる構成においても、有機ＥＬパネル１０と表示部２２ａとの間にゲル状部材３０を充填することができ、表示部２２ａの内側面に水分が付着することを防止して表示装置の防曇性を向上させることが可能となり、様々な環境下で利用されることが想定される小型機器に表示装置を搭載することができる。
【図面の簡単な説明】
【００３５】
【図１】本発明の第一の実施形態である表示装置を示す断面図。
【図２】同上の表示装置に備えられる有機ＥＬパネルを示す図。
【図３】同上の有機ＥＬパネルを示す断面図。
【図４】本発明の第二の実施形態である表示装置を示す断面図。
【符号の説明】
【００３６】
１０  有機ＥＬパネル
１１  支持基板
１２  封止部材
１３  積層体
１４  透明電極（第一電極）
１５  絶縁層
１６  隔壁部
１７  背面電極（第二電極）
２０  ケース体
２１  下ケース
２２  上ケース
２２ａ  表示部
２２ｂ  充填部
３０  ゲル状部材
４０  ＦＰＣ
５０  回路基板
【図１】
2010096968.tif 000003
【図２】
2010096968.tif 000004
【図３】
2010096968.tif 000005
【図４】
2010096968.tif 000006